(57)【要約】      （修正有）【課題】蝋義歯の作製において、咬合堤に排列された人工臼歯の前後的調節彎曲が所定の前後的調節彎曲に合致しているか否かを確認でき、排列の修正を必要とする人工臼歯の特定とその修正の程度等が把握できる人工臼歯排列確認用定規を提供する。【解決手段】横長の板状体の上辺部が上顎法により排列された上顎人工臼歯の前後的調節彎曲を確認するための上顎法用定規部３とされ、下辺部が下顎法により排列された下顎人工臼歯の前後的調節彎曲を確認するための下顎法用定規部４とされ、上顎法用定規部は、第１直線定規部３ａの上顎人工小臼歯の頬側咬頭頂との第１当接面５ａと第２直線定規部３ｂの上顎人工大臼歯の頬側咬頭頂との第２当接面５ｂによって形成されたくの字状に屈曲して上方に所定の鈍角で開いた上顎人工臼歯の頬側咬頭頂との当接面６を有し、下顎法用定規部は、下方に凸で所定半径の彎曲した下顎人工臼歯の頬側咬頭頂との当接面を有する。【選択図】図１
0003223141.tif 000002
【実用新案登録請求の範囲】
【請求項１】
横長の板状体の上辺部が上顎法により排列された上顎人工臼歯の前後的調節彎曲を確認するための上顎法用定規部とされ、下辺部が下顎法により排列された下顎人工臼歯の前後的調節彎曲を確認するための下顎法用定規部とされた人工臼歯排列確認用定規であって、
前記上顎法用定規部は、上顎人工小臼歯用の第１直線定規部と該第１直線定規部に接続した上顎人工大臼歯用の第２直線定規部とからなり、第１直線定規部の上顎人工小臼歯の頬側咬頭頂との第１当接面と第２直線定規部の上顎人工大臼歯の頬側咬頭頂との第２当接面によって形成されたくの字状に屈曲して上方に所定の鈍角で開いた上顎人工臼歯の頬側咬頭頂との当接面を有し、
前記下顎法用定規部は、下方に凸で所定半径の彎曲した下顎人工臼歯の頬側咬頭頂との当接面を有することを特徴とする人工臼歯排列確認用定規。
【請求項２】
前記所定の鈍角が１７５゜であることを特徴とする請求項１記載の人工臼歯排列確認用定規。
【請求項３】
前記所定半径が１０．１６ｃｍであることを特徴とする請求項１または２記載の人工臼歯排列確認用定規。
【請求項４】
前記上顎法用定規部の上顎人工臼歯の頬側咬頭頂との当接面は前記板状体の表面および裏面に垂直であり、
前記下顎法用定規部の下顎人工臼歯の頬側咬頭頂との当接面は前記板状体の表面および裏面に垂直であることを特徴とする請求項１ないし３のいずれかに記載の人工臼歯排列確認用定規。
【請求項５】
前記板状体の厚さが２．０〜３．５ｍｍであることを特徴とする請求項１ないし４のいずれかに記載の人工臼歯排列確認用定規。
【請求項６】
前記板状体は不透明であることを特徴とする請求項１ないし５のいずれかに記載の人工臼歯排列確認用定規。
【考案の詳細な説明】
【技術分野】
【０００１】
この考案は、全部床義歯（以下、特に断らない限り「義歯」は全部床義歯を意味する。）の作製において使用する人工臼歯排列確認用定規に関するものである。さらに詳しくは、この考案は、咬合器に装着された、蝋義歯の咬合堤（蝋堤ともいう。）に天然歯の順で隣接して排列された第１小臼歯から第２大臼歯までの人工臼歯４歯の頬側咬頭頂の連なりとしての下方に凸の前後的調節彎曲が所定の前後的調節彎曲に合致しているか否かを容易に確認でき、そうでない場合は、排列の修正を必要とする人工臼歯の特定とその修正の程度等が容易に把握でき、それに基づく人工臼歯の排列の修正と修正後の前後的調節彎曲の適否の確認等を行うことにより、所定の前後的調節彎曲が得られるようにするのに有用な人工臼歯排列確認用定規に関するものである。
【背景技術】
【０００２】
義歯の作製過程においては、咬合器を用い、上顎作業模型に取り付けられた上顎咬合床の咬合堤へ人工前歯（上顎右用の中切歯、側切歯、犬歯、上顎左用の中切歯、側切歯、犬歯の計６歯）を排列し、下顎作業模型に取り付けられた下顎咬合床の咬合堤へ人工前歯（下顎右用の中切歯、側切歯、犬歯、下顎左用の中切歯、側切歯、犬歯の計６歯）を排列し、その後、上下顎の人工臼歯を排列し、歯肉を形成することで、蝋義歯が作製される。
人工臼歯の排列においては、仮想咬合平面に対し所定の前後的調節彎曲が得られるようにすることが、義歯の使用において矢状クリステンセン現象が生ぜず、義歯の維持安定、咀嚼等の機能向上にとって必要とされる。
人工臼歯の排列方法としては、非特許文献１に記載されているように下顎法と上顎法とがある。
下顎法とは、先に下顎人工臼歯を下顎咬合堤に排列する方法であって、下顎人工臼歯が下顎咬合堤に排列された後、排列された下顎人工臼歯に対し、咬合するように対合臼歯となる上顎人工臼歯が、通法に従って上顎咬合堤に排列される。
下顎法においては、下顎の第１小臼歯４１、第２小臼歯４２、第１大臼歯４３、第２大臼歯４４の頬側咬頭頂と仮想咬合平面（通常、上顎咬合堤の咬合面を仮想咬合平面として利用する。）との差（距離）が、例えば、頬側咬頭傾斜角が２０度の下顎人工臼歯の場合、図８に示すような数値になるように下顎人工臼歯をスパチュラ等を使用して下顎咬合堤に排列する。
このように下顎人工臼歯を排列することで、下顎の第１小臼歯４１、第２小臼歯４２、第１大臼歯４３、第２大臼歯４４の各頬側咬頭頂の連なりとしての下方に凸の所定の前後的調節彎曲（矢状調節彎曲ともいう。以下同様）が得られる。
上顎法とは、先に上顎人工臼歯を上顎咬合堤に排列する方法であって、上顎人工臼歯が上顎咬合堤に排列された後、排列された上顎人工臼歯に対し、咬合するように対合臼歯となる下顎人工臼歯が、通法に従って下顎咬合堤に排列される。
上顎法においては、上顎の第１小臼歯５１、第２小臼歯５２、第１大臼歯５３、第２大臼歯５４の頬側咬頭頂と仮想咬合平面（通常、下顎咬合堤の咬合面を仮想咬合平面として利用する。）との差（距離）が、例えば、頬側咬頭傾斜角が２０度の上顎人工臼歯の場合、図９に示すような数値になるように上顎人工臼歯をスパチュラ等を使用して上顎咬合堤に排列する。
このように上顎人工臼歯を排列することで、上顎の第１小臼歯５１、第２小臼歯５２、第１大臼歯５３、第２大臼歯５４の各頬側咬頭頂の連なりとしての下方に凸の所定の前後的調節彎曲が得られる。
【先行技術文献】
【非特許文献】
【０００３】
【非特許文献１】平沼謙二ほか編「第４版コンプリートデンチャーテクニック」医師薬出版株式会社、１９９７年１月２０日、ｐ．８８−９７
【考案の概要】
【考案が解決しようとする課題】
【０００４】
人工臼歯に不適切な前後的調節彎曲が付与されたままで作製された蝋義歯（ひいては義歯）では、患者の口腔内に試適しても下顎の滑走運動等に伴って発生する矢状クリステンセン現象により義歯に推進現象が生じたり粘膜面から離脱したりして、義歯の維持安定が得られず、咀嚼等の機能が低下し、満足な結果は得られないことから、上顎法、下顎法いずれの方法で蝋義歯を作製するにしても、それぞれの方法に適した所定の前後的調節彎曲が得られるように人工臼歯を咬合堤に排列することが必要である。
上顎法、下顎法、いずれの人工臼歯の排列法においても、対合歯となる人工臼歯が排列されることになる咬合堤の咬合面を仮想咬合平面として利用して、排列される各人工臼歯の頬側咬頭頂と仮想咬合平面との差（距離）を歯科技工士等が自らの経験に基づいて、目測で判断しながら、第１小臼歯から第２大臼歯の各頬側咬頭頂の連なりとしての所定の前後的調節湾曲が得られるように、各人工臼歯を咬合堤に排列しているが、一回の人工臼歯の排列操作によって、所定の前後的調節彎曲を人工臼歯に付与することは、熟練した歯科技工士等にとっても容易ではなく、また、人工臼歯の排列後、人工臼歯に所定の前後的調節彎曲が付与されたかどうかを排列された各人工臼歯の頬側咬頭頂と仮想咬合平面との差（距離）から目視で判断することは容易とはいえず、たとえ、所定の前後的調節彎曲が付与されていないと判断できたとしても、所定の前後的調節彎曲を付与するのに排列の修正を必要とする人工臼歯の特定とその修正の程度等が容易に把握できず、結局は、試行錯誤しながら許容できる程度の前後的調節彎曲が付与できたと目視で判断されるまで人工臼歯の排列の修正等を繰り返すことになるが、許容できる程度の前後的調節彎曲しか付与し得ないのにも係わらず、人工臼歯の排列の修正等の操作は、煩雑で、長時間を要し手間がかかり、生産効率が良好とはいえない。そして、許容できる程度の前後的調節彎曲が付与された人工臼歯の排列では、これに対して対合歯となる人工臼歯を対合臼歯用の咬合堤に排列し、蝋義歯を得たとしても、後工程として行う咬合調整等の操作も多くなり、満足の行く義歯が得られないことにもなり、場合によっては、人工臼歯の排列を最初からやり直すことにもなりかねず、蝋義歯、ひいては、義歯の生産効率が低くならざるを得ない。
この考案は、上記のような実情に鑑み鋭意研究の結果創案されたものであり、蝋義歯の作製において、上顎法、下顎法いずれの排列方法による人工臼歯の排列であっても、咬合堤に排列された人工臼歯の各頬側咬頭頂の連なりとしての前後的調節彎曲が所定の前後的調節彎曲に合致しているか否かを容易に確認でき、そうでない場合は、所定の前後的調節彎曲を付与するためにワックススパチュラ等を用いて排列の修正を必要とする人工臼歯の特定とその修正の程度等が容易に把握でき、それに基づく人工臼歯の排列の修正を行うことにより、所定の前後的調節彎曲が得られるようにするのに有用な人工臼歯排列確認用定規を提供することを目的としている。
【課題を解決するための手段】
【０００５】
上記課題を解決するために、この考案は、（１）横長の板状体の上辺部が上顎法により排列された上顎人工臼歯の前後的調節彎曲を確認するための上顎法用定規部とされ、下辺部が下顎法により排列された下顎人工臼歯の前後的調節彎曲を確認するための下顎法用定規部とされた人工臼歯排列確認用定規であって、前記上顎法用定規部は、上顎人工小臼歯用の第１直線定規部と該第１直線定規部に接続した上顎人工大臼歯用の第２直線定規部とからなり、第１直線定規部の上顎人工小臼歯の頬側咬頭頂との第１当接面と第２直線定規部の上顎人工大臼歯の頬側咬頭頂との第２当接面によって形成されたくの字状に屈曲して上方に所定の鈍角で開いた上顎人工臼歯の頬側咬頭頂との当接面を有し、前記下顎法用定規部は、下方に凸で所定半径の彎曲した下顎人工臼歯の頬側咬頭頂との当接面を有することを特徴とする。
（２）前記（１）において、前記所定の鈍角が１７５゜であることが好ましい。
（３）前記（１）または（２）において、前記所定半径が１０．１６ｃｍであることが好ましい。
（４）前記（１）ないし（３）のいずれかにおいて、前記上顎法用定規部の上顎人工臼歯の頬側咬頭頂との当接面は前記板状体の表面および裏面に垂直であり、
前記下顎法用定規部の下顎人工臼歯の頬側咬頭頂との当接面は前記板状体の表面および裏面に垂直であることが好ましい。
（５）前記（１）ないし（４）のいずれかにおいて、前記板状体の厚さが２．０〜３．５ｍｍであることが好ましい。
（６）前記（１）ないし（５）のいずれかにおいて、前記板状体は不透明であることが好ましい。
【考案の効果】
【０００６】
この考案は、以上説明したように構成されているので、以下に記載されるような効果を奏する。
この考案の人工臼歯排列確認用定規は、上顎法用定規部と下顎法用定規部を備えていることから、上顎法、下顎法いずれの方法による人工臼歯の排列であっても、排列された人工臼歯の前後的調節彎曲の適否の確認、すなわち、上顎咬合堤に上顎法により排列された上顎の第１小臼歯から第２大臼歯までの人工臼歯４歯の各頬側咬頭に上顎法用定規部の当接面をあてがうこと（第１小臼歯と第２小臼歯の各頬側咬頭頂に第１直線定規部の第１当接面を、第１大臼歯と第２大臼歯の各頬側咬頭頂に第２直線定規部の第２当接面をあてがうこと）で上顎人工臼歯の頬側咬頭頂の連なりとしての前後的調節彎曲が上顎法に基づく所定の前後的調節彎曲に合致しているか否か、下顎咬合堤に下顎法により排列された下顎の第１小臼歯から第２大臼歯までの人工臼歯４歯に各頬側咬頭に下顎法用定規部の当接面をあてがうことで下顎人工臼歯の頬側咬頭頂の連なりとしての前後的調節彎曲が下顎法に基づく所定の前後的調節彎曲に合致しているか否かが排列された人工臼歯の頬側から目視することで容易に確認でき、上顎法、下顎法いずれの排列であっても、排列された人工臼歯に所定の前後的調節彎曲が付与されていない場合には、所定の前後的調節彎曲を付与するためにワックススパチュラ等を用いて排列の修正を必要とする人工臼歯の特定とその修正の程度等が容易に把握でき、それに基づいて必要とする人工臼歯の排列の修正を行い、修正された前後的調節彎曲が、それでも適切でないと人工臼歯排列確認用定規で確認されれば、同様にして、さらに排列の修正を必要とする人工臼歯の特定とその修正の程度等の把握と、それに基づく人工臼歯の排列の修正操作を所定の前後的調節彎曲が付与されるまで繰り返せばよいことから、高度な熟練を要することなく、所定の前後的調節彎曲の付与を容易、迅速かつ確実に行うことができることになる。
そのため、所定の前後的調節彎曲が付与された人工臼歯と対合臼歯となる人工臼歯を対合臼歯用の咬合堤に排列し、蝋義歯を得ることも容易、迅速かつ確実に行うことができ、さらに、後工程として行う咬合調整等の操作も少なくて済むことにもなり、蝋義歯、ひいては、義歯の生産効率を向上させることができる。
また、人工臼歯排列確認用定規は横長の板状体でできていることから、取扱が容易で、製造も容易であり、安価でもある。
【０００７】
以下、より具体的に説明する。
上顎法で上顎人工臼歯を排列した場合、上顎咬合堤に排列された上顎左の人工臼歯の前後的調節彎曲の適否の確認、すなわち、上顎咬合堤に排列された上顎左の第１小臼歯から第２大臼歯までの人工臼歯４歯の各頬側咬頭頂の連なりとしての人工臼歯の前後的調節彎曲が上顎法による所定の前後的調節彎曲に合致しているか否かは、人工臼歯排列確認用定規の一方の面側（例えば、表面側）を手前にして、上顎法用定規部の第１直線定規部の第１当接面を上顎左の第１小臼歯、第２小臼歯の各頬側咬頭頂に、第２直線定規部の第２当接面を上顎左の第１大臼歯、第２大臼歯の各頬側咬頭頂にあてがい、過不足なくぴったりと当接できるかどうかを排列された上顎左の人工臼歯の頬側から目視することで容易に確認できるとともに、そうでない場合は、所定の前後的調節彎曲を付与するためにワックススパチュラ等を用いて排列の修正を必要とする上顎左の人工臼歯の特定とその修正の程度等が容易に把握でき、それに基づいて必要とする上顎左の人工臼歯の排列の修正を行い、それによって得られた前後的調節彎曲が、それでも適切でないと人工臼歯排列確認用定規で確認されれば、同様にして、さらに排列の修正を必要とする上顎左の人工臼歯の特定とその修正の程度等の把握と、それに基づく上顎左の人工臼歯の排列の修正操作を所定の前後的調節彎曲が付与されるまで繰り返せばよいことから、高度な熟練を要することなく、所定の前後的調節彎曲の付与を容易、迅速かつ確実に行うことができることになる。
上顎咬合堤に排列された上顎右の人工臼歯の前後的調節彎曲の適否の確認、所定の前後的調節彎曲が得られていない場合に修正を必要とする上顎右の人工臼歯の排列修正を行って所定の前後的調節彎曲を得る操作は、前記したと同様な操作を人工臼歯排列確認用定規の他方の面側（例えば、裏面側））を手前にして、排列された上顎右の人工臼歯の頬側から目視することで行われる。
こういったことから、所定の前後的調節彎曲が付与された上顎人工臼歯と対合臼歯となる下顎人工臼歯を下顎咬合堤に排列し、蝋義歯を得ることも容易、迅速かつ確実に行うことができ、さらに、後工程として行う咬合調整等の操作も少なくて済むことにもなり、蝋義歯、ひいては、義歯の生産効率を向上させることができる。
【０００８】
下顎法で下顎人工臼歯を排列した場合、下顎咬合堤に排列された下顎右の人工臼歯の前後的調節彎曲の適否の確認、すなわち、下顎咬合堤に排列された下顎左の第１小臼歯から第２大臼歯までの人工臼歯４歯の各頬側咬頭頂の連なりとしての人工臼歯の前後的調節彎曲が下顎法による所定の前後的調節彎曲に合致しているか否かは、人工臼歯排列確認用定規の一方の面側（例えば、表面側）を手前にして、下顎法用定規部の下方に凸で所定半径の彎曲した当接面を、下顎左の第１小臼歯、第２小臼歯、第１大臼歯、第２大臼歯の各頬側咬頭頂にあてがって過不足なくぴったりと当接できるかどうかを排列された下顎左の人工臼歯の頬側から目視することで容易に確認できるとともに、そうでない場合は、所定の前後的調節彎曲を付与するためにワックススパチュラ等を用いて排列の修正を必要とする下顎左の人工臼歯の特定とその修正の程度等が容易に把握でき、それに基づいて必要とする下顎左の人工臼歯の排列の修正を行い、それによって得られた前後的調節彎曲が、それでも適切でないと人工臼歯排列確認用定規で確認されれば、同様にして、さらに排列の修正を必要とする下顎左の人工臼歯の特定とその修正の程度等の把握と、それに基づく下顎左の人工臼歯の排列の修正操作を所定の前後的調節彎曲が付与されるまで繰り返せばよいことから、高度な熟練を要することなく、所定の前後的調節彎曲の付与を容易、迅速かつ確実に行うことができることになる。
下顎咬合堤に排列された下顎右の人工臼歯の前後的調節彎曲の適否の確認、所定の前後的調節彎曲が得られていない場合に修正を必要とする下顎右の人工臼歯の排列修正を行って所定の前後的調節彎曲を得る操作は、前記したと同様な操作を人工臼歯排列確認用定規の他方の面側（例えば、裏面側））を手前にして、排列された下顎右の人工臼歯の頬側から目視することで行うことができるが、当接面は所定半径の均一ななめらかな曲面であることから、人工臼歯排列確認用定規の表面側を手前にして行ってもよい。
こういったことから、所定の前後的調節彎曲が付与された下顎人工臼歯と対合臼歯となる上顎人工臼歯を上顎咬合堤に排列し、蝋義歯を得ることも容易、迅速かつ確実に行うことができ、さらに、後工程として行う咬合調整等の操作も少なくて済むことにもなり、蝋義歯、ひいては、義歯の生産効率を向上させることができる。
【図面の簡単な説明】
【０００９】
【図１】この考案の人工臼歯排列確認用定規の一実施の形態であって、（ａ）は正面図、（ｂ）は平面図、（ｃ）は背面図、（ｄ）は底面図である。
【図２】図１に示す人工臼歯排列確認用定規と上顎人工臼歯の前後的調節彎曲、下顎人工臼歯の前後的調節彎曲との関係を示す説明図である。
【図３】前歯部が排列された上顎咬合床が取り付けられた上顎作業模型と前歯部が排列された下顎咬合床が取り付けられた下顎作業模型の側面を示す説明図である。
【図４】下顎法によって下顎左の人工臼歯が排列された下顎蝋義歯の人工臼歯の前後的調節彎曲の適否を図１に示す人工臼歯排列確認用定規を用いて確認する状態を示す説明図である。
【図５】図４に示す下顎蝋義歯の下顎左の人工臼歯の排列が修正されて適切な前後的調節彎曲が付与された下顎蝋義歯の左の人工臼歯と人工臼歯排列確認用定規との関係を示す説明図である。
【図６】上顎法によって上顎左の人工臼歯が排列された上顎蝋義歯の人工臼歯の前後的調節彎曲の適否を図１に示す人工臼歯排列確認用定規を用いて確認する状態を示す説明図である。
【図７】図６に示す上顎蝋義歯の上顎左の人工臼歯の排列が修正されて適切な前後的調節彎曲が付与された上顎蝋義歯の左の人工臼歯と人工臼歯排列確認用定規との関係を示す説明図である。
【図８】下顎法による下顎左の頬側咬頭傾斜角が２０度の人工臼歯の前後的調節彎曲を示す説明図で、仮想咬合平面と下顎左の人工臼歯の頬側咬頭頂との差（距離）を示す。
【図９】上顎法による上顎左の頬側咬頭傾斜角が２０度の人工臼歯の前後的調節彎曲を示す説明図で、仮想咬合平面と上顎左の人工臼歯の頬側咬頭頂との差（距離）を示す。
【考案を実施するための形態】
【００１０】
以下、図面に基づきこの考案を実施するための形態を更に詳細に説明する。もちろんこの考案は以下の実施の形態によって限定されるものではない。
図１は、この考案の人工臼歯排列確認用定規の一実施の形態を示している。
図１に示される人工臼歯排列確認用定規１は、横長の板状体２からなり、その上辺部が上顎法により排列された上顎人工臼歯の前後的調節彎曲を確認するための上顎法用定規部３とされ、下辺部が下顎法により排列された下顎人工臼歯の前後的調節彎曲を確認するための下顎法用定規部４とされている。
【００１１】
上顎法用定規部３は、上顎人工小臼歯用の第１直線定規部３ａと該第１直線定規部３ａに接続した上顎大臼歯用の第２直線定規部３ｂによってくの字状に屈曲して上方に所定の鈍角θで開いた人工臼歯の頬側咬頭頂との当接面５を有している。上顎法用定規部３の当接面５は、板状体２の表面および裏面に垂直である。
所定の鈍角θとしては、本考案者等による実験等によれば１７２〜１７８゜が好ましい。最も好ましいのは１７５゜である
θが１７５度の場合、上顎法用定規部３の当接面５の左右方向の彎曲は、頬側咬頭傾斜角が２０度の上顎人工臼歯４歯の頬側咬頭頂と仮想咬合平面との差（距離）が、図９に示す数値となるようにした前後的調節彎曲と一致している。
第１直線定規部３ａの長さＳ１は、上顎第１小臼歯、第２小臼歯のサイズがＬサイズであっても、上顎法により上顎咬合堤に排列された少なくとも上顎の第１小臼歯の頬側咬頭頂、第２小臼歯の頬側咬頭頂にあてがうことができる長さであることが必要であって、１８ｍｍ以上とすることが好ましい。なお、人工臼歯排列確認用定規１においては、第１直線定規部３ａを、第２直線定規部３ｂとの接続箇所から左端（図１（ａ）の正面図による。）までとしているが、これは、人工臼歯排列確認用定規１を持つための部分として利用できること等から、そのまま直線状としているが必ずしもこの長さを必要とするものではない。
第２直線定規部３ｂの長さＳ２は、上顎の第１大臼歯、第２大臼歯のサイズがＬサイズであっても、上顎法により上顎咬合堤に排列された少なくとも上顎の第１大臼歯の近遠心頬側咬頭頂、第２大臼歯の近遠心頬側咬頭頂にあてがうことができる長さであることが必要であって、２１ｍｍ以上とすることが好ましい。図１に示す人工臼歯排列確認用定規１の第２直線定規部３ｂの長さは２１ｍｍとしている。但し、余り長いと、人工臼歯排列確認用定規１の使用に際し咬合器等と干渉する恐れがあり、好ましくない。
【００１２】
下顎法用定規部４は、下方に凸で所定半径の彎曲した下顎人工臼歯の頬側咬頭頂との当接面６を有している。下顎法用定規部４の当接面６は、板状体２の表面および裏面に垂直である。
半径としては、９．８０〜１０．６５ｍｍが好ましい。最も好ましいのは、１０．１６ｃｍである。
半径が１０．１６ｃｍの場合、下顎法用定規部４の当接面６の左右方向の彎曲は、頬側咬頭傾斜角が２０度の下顎人工臼歯４歯の頬側咬頭頂と仮想咬合平面との差（距離）が、図８に示す数値となるようにした前後的調節彎曲と一致している。
下顎法用定規部４の長さＳ３は、下顎の第１小臼歯、第２小臼歯、第１大臼歯、第２大臼歯のサイズがＬサイズであっても、下顎法により下顎咬合堤に排列された少なくとも下顎の第１小臼歯の頬側咬頭頂、第２小臼歯の頬側咬頭頂、第１大臼歯の頬側咬頭頂、第２大臼歯の頬側咬頭頂にあてがうことができる長さであることが必要であって、３０ｍｍ以上とすることが好ましい。
【００１３】
人工臼歯排列確認用定規１の厚さｔは、２．０〜３．５ｍｍであることが上顎、下顎の第１小臼歯〜第２大臼歯のサイズがＳ、Ｍ、Ｌいずれのサイズであっても、上顎、下顎の人工臼歯の各頬側咬頭頂が当接面５、当接面６から外れることなく当接でき、上顎、下顎の人工臼歯の舌側咬頭頂等との干渉の恐れもなく、取り扱いに支障がなく、前後的調節彎曲が頬側から容易、迅速かつ確実に目視で確認できることから好ましい。最も好ましいのは、２．８ｍｍである。
【００１４】
人工臼歯排列確認用定規１の表面および裏面には、第１直線定規部３ａと第２直線定規部３ｂとの接続箇所を示す標識８が表示されている。標識８によって、上顎法用定規部３が上顎の小臼歯側用の第１直線定規部３ａと上顎の大臼歯側用の第２直線定規部３ｂとに区別される。
標識８は第１直線定規部３ａの第１当接面５ａの終端と２直線定規部３ｂの第２当接面５ｂの始端との接続位置も示している。
標識８としては、三角形としているが、これに限られず、矢印、菱形、直線等種々の標識が可能であるが、標識８は少なくとも上辺部側には表示しておくことが必要である。
【００１５】
人工臼歯排列確認用定規１の表面および裏面の略中央位置には、第１直線定規部３ａと直交し第１直線定規部３ａから下顎法用定規部４に達する直線状の標識９が表示されている。標識９によって、下顎法用定規部４が下顎の小臼歯側と大臼歯側とに区別される。幾何学的には、直線状の標識９の直線と、下顎法用定規部４の側縁の円弧との接線とは、直交していることになる。
標識９は、第１直線定規部３ａと直交し第１直線定規部３ａから下顎法用定規部４に達する直線としているが、これに限られず、少なくとも下辺部側には表示しておくことが好ましい。
標識９としては、直線に限られず、点線等の線状のものであってもよく、更には、矢印、三角形、菱形等適宜のものが採用できる。
なお、標識８、標識９は必ずしも必要ではない。
【００１６】
人工臼歯排列確認用定規１には、アルミ合金等の金属、合成樹脂、合成ゴム、セラミックス等の材料が採用できる。人工臼歯排列確認用定規１は不透明であることが好ましく、透明の場合は、着色等によって不透明とすればよい。人工臼歯排列確認用定規１が不透明であると、排列された上顎の第１小臼歯から第２大臼歯までの人工臼歯４歯の各頬側咬頭頂に上顎法用定規部をあてがった際に、各頬側咬頭頂と上顎法用定規部３の当接面５との当接の状態が上顎人工臼歯の頬側から目視で把握しやすく、また、排列された下顎の第１小臼歯から第２大臼歯までの人工臼歯４歯の各頬側咬頭に下顎法用定規部をあてがった際に、各頬側咬頭頂と下顎法用定規部４の当接面６との当接の状態が下顎人工臼歯の頬側から目視で把握しやすく、ひいては、上顎法、下顎法いずれの人工臼歯４歯の排列の前後的調節彎曲の適否の確認が容易、迅速かつ確実に行うことができることになる。
【００１７】
図２は、人工臼歯排列確認用定規１の上顎法用定規部３の第１直線定規部３ａ及び第２直線定規部３ｂと上顎法により所定の前後的調節彎曲が付与されたと想定した上顎左の第１小臼歯１１、第２小臼歯１２、第１大臼歯１３、第２大臼歯１４との関係、下顎法用定規部４と下顎法により所定の前後的調節彎曲が付与されたと想定した下顎左の第１小臼歯２１、第２小臼歯２２、第１大臼歯２３、第２大臼歯２４との関係を示している。
以下、人工臼歯排列確認用定規１における上顎法用定規部における所定の鈍角θは１７５゜、下顎法用定規部における所定半径は１０．１６ｃｍとして説明する。
【００１８】
上顎法用定規部３の第１直線定規部３ａが上顎左の第１小臼歯１１の頬側咬頭頂１１ａ、第２小臼歯１２の頬側咬頭頂１２ａに、第２直線定規部３ｂが第１大臼歯１３の近心頬側咬頭頂１３ａ、遠心頬側咬頭頂１３ｂ、第２大臼歯１４の近心頬側咬頭頂１４ａ、遠心頬側咬頭頂１４ｂにあてがわれ、くの字状に屈曲して上方に１７５゜で開いた当接面５が各頬側咬頭頂に過不足なくぴったりと当接している。
具体的には、この状態においては、第１直線定規部３ａの第１当接面５ａが上顎左の第１小臼歯１１の頬側咬頭頂１１ａ、第２小臼歯１２の頬側咬頭頂１２ａに当接しており、第２直線定規部３ｂの第２当接面５ｂが第１大臼歯１３の近心頬側咬頭頂１３ａ、遠心頬側咬頭頂１３ｂ、第２大臼歯１４の近心頬側咬頭頂１４ａ、遠心頬側咬頭頂１４ｂに当接している。
【００１９】
下顎法用定規部４が下顎の第１小臼歯２１の頬側咬頭頂２１ａ、第２小臼歯２２の頬側咬頭頂２２ａ、第１大臼歯２３の近心頬側咬頭頂２３ａ、遠心頬側咬頭頂２３ｂ、第２大臼歯２４の近心頬側咬頭頂２４ａ、遠心頬側咬頭頂２４ｂにあてがわれ、下方に凸で半径１０．１６ｃｍの彎曲した当接面６に各頬側咬頭頂が不足なくぴったりと当接している。
【００２０】
以下、人工臼歯排列確認用定規１の下顎法用定規部４の使用方法について説明する。
図３は、上顎の中切歯１５、側切歯１６、犬歯１７のそれぞれ左右の前歯６歯が上顎咬合堤１８に排列された上顎咬合床が取り付けられた上顎作業模型１９と、下顎の中切歯２５、側切歯２６、犬歯２７のそれぞれ左右の前歯６歯が下顎咬合堤２８に排列された下顎咬合床が取り付けられた下顎作業模型２９とが咬合器（図示せず）に装着された状態の側面を示している。この状態において、下顎法に従って、下顎咬合堤２８に、例えば、先ず、下顎左の第１小臼歯２１、第２小臼歯２２、第１大臼歯２３、第２大臼歯２４を排列する。
具体的には、ワックススパチュラ等を用い下顎咬合堤２８の第１小臼歯に対応する箇所の蝋を切除または溶融したり軟化させたりして適量除去する等の操作を行った後、咬合器が閉じた状態において、仮想咬合平面（上顎咬合堤１８の下面を利用）を基準とし、仮想咬合平面と第１小臼歯２１の頬側咬頭頂との距離が図８に示される数値となるように目測にて調整等し、ワックススパチュラ等を用い第１小臼歯２１の歯頸部側を下顎咬合堤２８に埋設して排列する。同様にして、仮想咬合平面と第２小臼歯２２の頬側咬頭頂との距離が図８に示される数値となるように調整等して排列し、仮想咬合平面と第１大臼歯２３の頬側咬頭頂との距離が図８に示される数値となるように調整等して排列し、仮想咬合平面と第２大臼歯２４の頬側咬頭頂との距離が図８に示される数値となるように調整等して排列する。
【００２１】
次いで、下顎咬合堤２８に下顎右の第１小臼歯、第２小臼歯、第１大臼歯、第２大臼歯の排列をするが、これは、前記したと同様にして行えばよいことから詳細な説明は省略する。
【００２２】
図４は、下顎作業模型２９に取り付けられた下顎咬合床の咬合堤に下顎の中切歯２５、側切歯２６、犬歯２７が排列された後に、下顎法に従って下顎左の第１小臼歯２１、第２小臼歯２２、第１大臼歯２３、第２大臼歯２４が排列された下顎蝋義歯３０の、左側の人工臼歯４歯の各頬側咬頭頂の連なりとしての前後的調節彎曲の適否を人工臼歯排列確認用定規１を用いて確認する状態を示している。
【００２３】
人工臼歯排列確認用定規１を使用した下顎蝋義歯３０の人工臼歯４歯の前後的調節彎曲の適否は、図４に示すように、人工臼歯排列確認用定規１の表面側を手前にし、下顎左の第２小臼歯２２と第１大臼歯２３の間に標識９が来るようにして、下顎法用定規部４の下方に凸で半径１０．１６ｃｍの彎曲した当接面６を下顎左の第１小臼歯２１、第２小臼歯２２、第１大臼歯２３、第２大臼歯２４の各頬側咬頭頂にあてがい、過不足なくぴったりと当接するかどうかを下顎左の人工臼歯４歯の頬側から目視することで容易に確認でき、過不足なくぴったりとは当接していない場合は、ワックススパチュラ等を用いて排列の修正を必要とする下顎左の人工臼歯の特定とその修正の程度等が容易に把握できる。
なお、当接面６は半径１０．１６ｃｍのなめらかな均一な曲面であることから、実際の使用に際しては、必ずしも、下顎左の第２小臼歯２２と第１大臼歯２３の間に標識９が来るようにして使用しなくても支障はない。
【００２４】
下顎左の人工臼歯４歯の各頬側咬頭頂と下顎法用定規部４の当接面６が過不足なくぴったりと当接していない場合（すなわち、下顎左の人工臼歯４歯に所定の前後的調節彎曲が付与されていない場合）は、ワックススパチュラ等を用い修正の必要な人工臼歯の咬合堤を溶融、軟化させて修正の必要な人工臼歯の排列の修正を行い、それによって得られた前後的調節彎曲がそれでも適切でないと人工臼歯排列確認用定規１の下顎法用定規部４で確認されれば、同様にして、さらに排列の修正を必要とする下顎左の人工臼歯の特定とその修正の程度等の把握と、それに基づく下顎左の人工臼歯の排列の修正操作を所定の前後的調節彎曲が付与されるまで繰り返せばよい。
そのため、高度な熟練を要することなく、所定の前後的調節彎曲の付与を容易、迅速かつ確実に行うことができることになる。
【００２５】
下顎の咬合堤に排列された下顎右の第１小臼歯、第２小臼歯、第１大臼歯、第２大臼歯の前後的調節彎曲の適否は、前記したことに準ずる操作を人工臼歯排列確認用定規１の裏面側を手前にし、下顎右の第２小臼歯２２と第１大臼歯２３の間に標識９が来るようにして、下顎法用定規部４を下顎右の第１小臼歯２１、第２小臼歯２２、第１大臼歯２３、第２大臼歯２４の各頬側咬頭頂にあてがい、これらの頬側咬頭頂が下方に凸で半径１０．１６ｃｍの彎曲した当接面６に過不足なくぴったりと当接するかどうかを下顎右の人工臼歯４歯の頬側から目視することで容易に確認でき、過不足なくぴったりとは当接していない場合は、ワックススパチュラ等を用いて排列の修正を必要とする下顎右の人工臼歯の特定とその修正の程度等が容易に把握できる。
下顎右の人工臼歯４歯の各頬側咬頭頂と下顎法用定規部４の当接面６が過不足なくぴったりと当接していない場合（すなわち、下顎右の人工臼歯４歯に所定の前後的調節彎曲が付与されていない場合）は、ワックススパチュラ等を用い修正の必要な人工臼歯の咬合堤を溶融、軟化させて修正の必要な人工臼歯の排列の修正を行い、それによって得られた前後的調節彎曲がそれでも適切でないと人工臼歯排列確認用定規１の下顎法用定規部４で確認されれば、同様にして、さらに排列の修正を必要とする下顎右の人工臼歯の特定とその修正の程度等の把握と、それに基づく下顎右の人工臼歯の排列の修正操作を所定の前後的調節彎曲が付与されるまで繰り返せばよい。
なお、人工臼歯排列確認用定規１の下顎法用定規部４の当接面６は下方に凸で半径１０．１６ｃｍの彎曲した均一でなめらかな曲面となっていることから、下顎右の人工臼歯４歯の下顎蝋義歯３０の人工臼歯４歯の前後的調節彎曲の適否の確認等は人工臼歯排列確認用定規１の裏面側を手前にして行ってもよいし、人工臼歯排列確認用定規１の表面側を手前にして行ってもよい。
【００２６】
図５は、図４に示す下顎蝋義歯３０の下顎左の人工臼歯のうち修正すべき人工臼歯の排列が修正されて所定の前後的調節彎曲が付与され、人工臼歯排列確認用定規１の下顎法用定規部４が左の第１小臼歯２１、第２小臼歯２２、第１大臼歯２３、第２大臼歯２４の各頬側咬頭頂にあてがわれ、これらの頬側咬頭頂が下方に凸で半径１０．１６ｃｍの彎曲した当接面６に過不足なくぴったりと当接している状態を示している。
【００２７】
所定の前後的調節彎曲が付与された下顎蝋義歯３０を用いて上顎蝋義歯を作製するには、通法に従って、下顎蝋義歯３０の人工臼歯と適切な咬合関係等を満たして咬合するように、上顎前歯６歯が排列された上顎咬合床の咬合堤に、ワックススパチュラ等を用いて対合臼歯となる上顎左の第１小臼歯、第２小臼歯、第１大臼歯、第２大臼歯、上顎右の第１小臼歯、第２小臼歯、第１大臼歯、第２大臼歯を、例えば、上顎左の第１大臼歯、上顎右の第１大臼歯、上顎左の第２小臼歯、上顎右の第２小臼歯、上顎左の第１小臼歯、上顎右の第１小臼歯、上顎左の第２大臼歯、上顎右の第２大臼歯の順に排列して上顎蝋義歯を作製する。
これによって、上顎左右の第１小臼歯、第２小臼歯、第１大臼歯、第２大臼歯にも下顎蝋義歯の人工臼歯４歯と適切な咬合関係等を満たす前後的調節彎曲が付与される。
【００２８】
得られた蝋義歯に対し、通法に従って、咬合調整、歯肉形成、患者への試適等を行い、その後、石膏埋没、流蝋、石膏内に生じた空洞への義歯床用の餅状レジンの填入、餅状レジンの重合硬化、石膏よりの掘り出し、修正、研磨等を施すことで患者に適した義歯を作製することができる。
【００２９】
次に、人工臼歯排列確認用定規１の上顎法用定規部３の使用方法について説明する。
図３に示された状態において、上顎法に従って、上顎咬合堤１８に、上顎の左右の第１小臼歯１１、上顎の左右の第２小臼歯１２、上顎の左右の第１大臼歯１３、上顎の左右の第２大臼歯１４の順に排列する。
具体的には、ワックススパチュラ等を用い上顎咬合堤１８の第１小臼歯に対応する箇所の蝋を切除または溶融したり軟化させたりして適量除去する等の操作を行った後、咬合器が閉じた状態において、仮想咬合平面（下顎咬合堤２８の上面を利用）を基準とし、仮想咬合平面と第１小臼歯１１の頬側咬頭頂との距離が図９に示される数値となるように目測にて調整等し、ワックススパチュラ等を用い左右の第１小臼歯１１の歯頸部側を、上顎咬合堤１８に埋設して排列する。同様にして、仮想咬合平面と左右の第２小臼歯１２の頬側咬頭頂との距離が図９に示される数値となるように調整等して排列し、仮想咬合平面と左右の第１大臼歯１３の頬側咬頭頂との距離が図９に示される数値となるように調整等して排列し、仮想咬合平面と左右の第２大臼歯１４の頬側咬頭頂との距離が図９に示される数値となるように調整等して排列する。
【００３０】
図６は、上顎作業模型１９に取り付けられた上顎咬合床の咬合堤１８（図３参照）に上顎の中切歯１５、側切歯１６、犬歯１７が排列された後に、上顎法に従って上顎左の第１小臼歯１１、第２小臼歯１２、第１大臼歯１３、第２大臼歯１４が排列された上顎蝋義歯２０の、左側の人工臼歯４歯の各頬側咬頭頂の連なりとしての前後的調節彎曲の適否を人工臼歯排列確認用定規１を用いて確認する状態を示している。
【００３１】
人工臼歯排列確認用定規１を使用した上顎蝋義歯２０の人工臼歯４歯の前後的調節彎曲の適否は、図６に示すように、人工臼歯排列確認用定規１の表面側を手前にし、上顎左の第２小臼歯１２と第１大臼歯１３の間に標識８が来るようにして、上顎法用定規部３の第１直線定規部３ａの第１当接面５ａと第２直線定規部３ｂの第２当接面５ｂによって形成されたくの字状に屈曲して上方に鈍角１７５゜で開いた上顎人工臼歯の頬側咬頭頂との当接面５のうち、第１当接面５ａを上顎左の第１小臼歯１１、第２小臼歯１２の各頬側咬頭頂に、第２当接面５ｂを上顎左の第１大臼歯１３、第２大臼歯１４の各頬側咬頭頂にあてがい、過不足なくぴったりと当接するかどうかを上顎左の人工臼歯４歯の頬側から目視することで容易に確認でき、過不足なくぴったりとは当接していない場合は、ワックススパチュラ等を用いて排列の修正を必要とする上顎左の人工臼歯の特定とその修正の程度等が容易に把握できる。
【００３２】
上顎左の人工臼歯４歯の各頬側咬頭頂と上顎法用定規部３の当接面５が過不足なくぴったりと当接していない場合（すなわち、上顎左の人工臼歯４歯に所定の前後的調節彎曲が付与されていない場合）は、ワックススパチュラ等を用い必要な人工臼歯の咬合堤を溶融、軟化させて修正の必要な人工臼歯の排列の修正を行い、それによって得られた前後的調節彎曲がそれでも適切でないと人工臼歯排列確認用定規１の上顎法用定規部３で確認されれば、同様にして、さらに排列の修正を必要とする上顎左の人工臼歯の特定とその修正の程度等の把握と、それに基づく上顎左の人工臼歯の排列の修正操作を所定の前後的調節彎曲が付与されるまで繰り返せばよい。
そのため、高度な熟練を要することなく、所定の前後的調節彎曲の付与を容易、迅速かつ確実に行うことができることになる。
【００３３】
上顎の咬合堤に排列された上顎右の第１小臼歯、第２小臼歯、第１大臼歯、第２大臼歯の前後的調節彎曲の適否は、前記したことに準ずる操作を人工臼歯排列確認用定規１の裏面側を手前にし、上顎右の第２小臼歯２２と第１大臼歯２３の間に標識８が来るようにして、上顎法用定規部３の第１直線定規部３ａの第１当接面５ａを上顎右の第１小臼歯１１、第２小臼歯１２の各頬側咬頭頂に、第２当接面５ｂを上顎左の第１大臼歯１３、第２大臼歯１４の各頬側咬頭頂にあてがい、過不足なくぴったりと当接するかどうかを上顎右の人工臼歯４歯の頬側から目視することで容易に確認でき、過不足なくぴったりとは当接していない場合は、ワックススパチュラ等を用いて排列の修正を必要とする上顎右の人工臼歯の特定とその修正の程度等が容易に把握できる。
下顎右の人工臼歯４歯の各頬側咬頭頂と上顎法用定規部３の当接面５が過不足なくぴったりと当接していない場合（すなわち、下顎右の人工臼歯４歯に所定の前後的調節彎曲が付与されていない場合）は、ワックススパチュラ等を用い修正の必要な人工臼歯の咬合堤を溶融、軟化させて修正の必要な人工臼歯の排列の修正を行い、それによって得られた前後的調節彎曲がそれでも適切でないと人工臼歯排列確認用定規１の上顎法用定規部３で確認されれば、同様にして、さらに排列の修正を必要とする上顎右の人工臼歯の特定とその修正の程度等の把握と、それに基づく上顎右の人工臼歯の排列の修正操作を所定の前後的調節彎曲が付与されるまで繰り返せばよい。
【００３４】
図７は、図６に示す上顎蝋義歯の上顎左の人工臼歯のうち修正すべき人工臼歯の排列が修正されて所定の前後的調節彎曲が付与され、人工臼歯排列確認用定規１の上顎法用定規部３の第１直線定規部３ａが上顎左の第１小臼歯１１、第２小臼歯１２の各頬側咬頭頂に、第２直線定規部３ｂが第１大臼歯１３、第２大臼歯１４の各頬側咬頭頂にあてがわれ、これらの頬側咬頭頂がくの字状に屈曲して上方に鈍角１７５゜で開いた当接面５に過不足なくぴったりと当接している状態を示している。
具体的には、この状態においては、第１直線定規部３ａの第１当接面５ａが上顎左の第１小臼歯１１の頬側咬頭頂１１ａ、第２小臼歯の頬側咬頭頂１２ａに当接しているとともに、第２直線定規部３ｂの第２当接面５ｂが第１大臼歯１３の近心頬側咬頭頂１３ａ、遠心頬側咬頭頂１３ｂ、第２大臼歯１４の近心頬側咬頭頂１４ａ、遠心頬側咬頭頂１４ｂに当接している。
【００３５】
所定の前後的調節彎曲が付与された上顎蝋義歯２０を用いて下顎蝋義歯を作製するには、通法に従って、上顎蝋義歯２０の人工臼歯と適切な咬合関係等を満たして咬合するように、下顎前歯６歯が排列された下顎咬合床の咬合堤に、ワックススパチュラ等を用いて対合臼歯となる下顎左の第１小臼歯、第２小臼歯、第１大臼歯、第２大臼歯、下顎右の第１小臼歯、第２小臼歯、第１大臼歯、第２大臼歯を、例えば、下顎左の第１大臼歯、下顎右の第１大臼歯、下顎左の第２小臼歯、下顎右の第２小臼歯、下顎左の第１小臼歯、下顎右の第１小臼歯、下顎左の第２大臼歯、下顎右の第２大臼歯の順に排列して下顎蝋義歯を作製する。
これによって、下顎左右の第１小臼歯、第２小臼歯、第１大臼歯、第２大臼歯にも上顎蝋義歯の人工臼歯４歯と適切な咬合関係等を満たす前後的調節彎曲が付与される。
【００３６】
得られた蝋義歯に対し、通法に従って、咬合調整、歯肉形成、患者への試適等を行い、その後、石膏埋没、流蝋、石膏内に生じた空洞への義歯床用の餅状レジンの填入、餅状レジンの重合硬化、石膏よりの掘り出し、修正、研磨等を施すことで患者に適した義歯を作製することができる。
【００３７】
なお、人工臼歯排列確認用定規１が、その使用に際し、上顎法用定規部３の第２直線定規部３ｂの第２当接面５ｂを上顎の第１小臼歯１１、第２小臼歯１２の各頬側咬頭頂にあてがうことができ、第１直線定規部３ａの第１当接面５ａを上顎の第１大臼歯１３、第２大臼歯１４の各頬側咬頭頂にあてがうことができ、しかも、第１直線定規部３ａが、咬合器等に当接したりしないような長さ（例えば、第２直線定規部３ｂの長さＳ２が２１ｍｍで、第１直線定規部３ａの長さＳ１も２１ｍｍ）であれば、支障がないことから、人工臼歯排列確認用定規１の片面側（例えば、表面側）を手前にして、上顎左右の人工臼歯の前後的調節彎曲の適否の確認をしたり、所定の前後的調節彎曲が得られていない場合に修正を必要とする上顎の人工臼歯の排列修正を行って所定の前後的調節彎曲を得る操作を行うようにしてもよい。
【００３８】
この考案の人工臼歯排列確認用定規としては、図１に示されたものに限定されることはない。
例えば、人工臼歯排列確認用定規の左端に指で把持しやすくするための把持部を形成すること、上顎法用定規部、下顎用定規部に長さ測定用の目盛りを設け、排列された人工臼歯の近遠心長さ等を測定できるようにしてもよい。
【００３９】
図１に示す人工臼歯排列確認用定規１は、上辺部が上顎法により排列された頬側咬頭傾斜角が２０度の上顎人工臼歯の前後的調節彎曲を確認するための上顎法用定規部、下辺部が下顎法により排列された頬側咬頭傾斜角が２０度の下顎人工臼歯の前後的調節彎曲を確認するための下顎法用定規部となっているものであって、上顎法用定規部、下顎法用定規部は前記したそれぞれ所定の形状等を有しているが、この考案の人工臼歯排列確認用定規としては、これに限られず、例えば、上辺部が上顎法により排列された頬側咬頭傾斜角が３０度の上顎人工臼歯の前後的調節彎曲を確認するための上顎法用定規部、下辺部が下顎法により排列された頬側咬頭傾斜角が３０度の下顎人工臼歯の前後的調節彎曲を確認するための下顎法用定規部となっているものであってもよく、その場合の上顎法用定規部、下顎法用定規部の形状等は、図１に示す人工臼歯排列確認用定規の上顎法用定規部、下顎法用定規部の形状とは異なることになる。
【符号の説明】
【００４０】
１  人工臼歯排列確認用定規
２  板状体
３  上顎法用定規部
４  下顎法用定規部
【図１】
0003223141.tif 000003
【図２】
0003223141.tif 000004
【図３】
0003223141.tif 000005
【図４】
0003223141.tif 000006
【図５】
0003223141.tif 000007
【図６】
0003223141.tif 000008
【図７】
0003223141.tif 000009
【図８】
0003223141.tif 000010
【図９】
0003223141.tif 000011